(57)【要約】      （修正有）【課題】棚に違う部品が入っている場合でも、棚卸周期を品目毎に管理する方法を提供する。【解決手段】品目と棚卸周期を対応づけて記憶する棚卸周期データＤＢ１１０と、品目毎の前回棚卸日付を記憶する棚卸実績ＤＢ１１２と、品目を棚卸周期データＤＢに照合して、棚卸周期を特定し、当該品目を棚卸実績ＤＢに照合して前回棚卸実績日を特定して、特定した前回棚卸日付と棚卸周期から棚卸予定日を特定する棚卸周期算出処理部１０６とを有する。【選択図】図１
2016051238.tif 000002
【特許請求の範囲】
【請求項１】
品目と棚卸周期を対応づけて記憶する棚卸周期データＤＢと、
前記品目毎の前回棚卸日付を記憶する棚卸実績ＤＢと、
品目を前記棚卸周期データＤＢに照合して、棚卸周期を特定し、当該品目を棚卸実績ＤＢに照合して前回棚卸実績日を特定して、特定した前回棚卸日付と前記棚卸周期から棚卸予定日を特定する棚卸周期算出処理部と
を有することを特徴とする棚卸周期管理装置。
【請求項２】
請求項１に記載の棚卸周期管理装置であって、
更に
品目と棚卸区分を対応づけて記憶する品目マスタＤＢを有し、
前記棚卸周期データＤＢが、前記棚卸区分と棚卸周期を対応づけて記憶し、
前記棚卸周期算出処理部が、
品目を品目マスタＤＢへ照合し棚卸区分を特定し、前記特定した棚卸区分を前記棚卸周期データＤＢに照合して、棚卸周期を特定し、当該品目を棚卸実績ＤＢに照合して前回棚卸実績日を特定して、特定した前回棚卸日付と前記棚卸周期から棚卸予定日を特定する
ことを特徴とする棚卸周期管理装置。
【請求項３】
請求項１乃至請求項２のいずれか一項に記載の棚卸周期管理装置であって、
前記棚卸周期算出処理部が、特定した棚卸日付に、特定した棚卸周期を足すことにより棚卸予定日を特定する
ことを特徴とする棚卸周期管理装置。
【請求項４】
請求項１乃至請求項３のいずれか一項に記載の棚卸周期管理装置であって、
更に、
棚番と品目と在庫数を対応づけて記憶する在庫情報ＤＢを有し、
前記棚卸周期算出処理部は、更に、
当該品目を在庫情報ＤＢに照合し、当該品目の棚番の在庫数を特定し、前記特定された棚卸予定日と、前記特定された情報を有する棚卸要求データを作成する
ことを特徴とする棚卸周期管理装置。
【請求項５】
品目と棚卸周期を対応づけて棚卸周期データＤＢに記憶するステップと、
前記品目毎の前回棚卸日付を棚卸実績ＤＢに記憶するステップと、
品目を前記棚卸周期データＤＢに照合して、棚卸周期を特定し、当該品目を棚卸実績ＤＢに照合して前回棚卸実績日を特定して、特定した前回棚卸日付と前記棚卸周期から棚卸予定日を特定するステップと
を有することを特徴とする棚卸周期管理方法。
【発明の詳細な説明】
【技術分野】
【０００１】
本発明は、棚卸周期を管理する技術に関する。
【背景技術】
【０００２】
棚卸は、棚毎に棚番を設定し、棚番毎に棚卸周期を設定している。その棚卸周期により、例えば棚卸周期が１カ月の場合は、１月毎に棚卸を実施する。通常棚卸は棚に入ってある部品に対して行うので、棚毎に納める部品が違う場合、棚毎に棚卸周期を設定することで、部品毎の棚卸周期を管理することができる。棚卸の周期に関する技術として、例えば、特許文献１には棚卸時期を自動で特定する技術について開示されている。棚毎での部品の管理が一般的であるが、棚の中に複数の部品を入れて部品毎での棚卸周期を管理する技術が望まれている。
【先行技術文献】
【特許文献】
【０００３】
【特許文献１】特開2010-222098号公報
【発明の概要】
【発明が解決しようとする課題】
【０００４】
棚に違う部品が入っている場合、従来だと棚毎に棚卸周期が管理されるので、部品が他の棚をまたがる場合、棚毎で棚卸周期を管理すると、部品毎での棚卸周期に不一致がおきてしまう問題がある。例えば棚Ａの部品aと棚Ｂの部品aでは、同じ部品でありながら、棚卸周期が変わってしまう課題がある。
【課題を解決するための手段】
【０００５】
本発明は前述課題を解決するために、品目と棚卸周期を対応づけて記憶する棚卸周期データＤＢと、前記品目毎の前回棚卸日付を記憶する棚卸実績ＤＢと、品目を前記棚卸周期データＤＢに照合して、棚卸周期を特定し、当該品目を棚卸実績ＤＢに照合して前回棚卸実績日を特定して、特定した前回棚卸日付と前記棚卸周期から棚卸予定日を特定する棚卸周期算出処理部とを有する。
【発明の効果】
【０００６】
本発明は前述説明の通り棚卸周期を品目毎に管理することができる。
【図面の簡単な説明】
【０００７】
【図１】本発明の構成図である。
【図２】本発明の品目マスタデータ構成図である。
【図３】本発明の棚卸周期データ構成図である。
【図４】本発明の在庫情報データ構成図である。
【図５】本発明の棚卸実績データ構成図である。
【図６】本発明の棚卸要求データ構成図である。
【図７】本発明の品目マスタ登録処理のフローチャートである。
【図８】本発明の在庫入出庫処理のフローチャートである。
【図９】本発明の品目毎循環棚卸処理のフローチャートである。
【発明を実施するための形態】
【０００８】
本発明の実施例として棚卸周期を品目毎に正しく算出する方法を説明する。
【０００９】
図１は、本発明装置である棚卸周期管理装置の構成図である。在庫管理システムサーバ１０１は品目毎に決めた棚卸区分を登録する棚卸区分登録処理部１０２、品目毎に決めた固定棚番を登録する棚番登録処理部１０３、品目毎に登録された棚卸区分情報と固定棚番情報を記憶する品目マスタＤＢ１０９、棚卸区分毎の棚卸実地回数を記憶する棚卸周期ＤＢ１１０、在庫の入庫が発生したときに在庫入庫数を登録する在庫入庫処理部１０４、在庫の出庫が発生したときに在庫出庫数を登録する在庫出庫処理部１０５、在庫の入出庫に伴う品目毎の在庫数を記憶する在庫情報ＤＢ１１１、品目毎の正しい棚卸周期で循環に棚卸を実施した棚卸実績を記憶する棚卸実績ＤＢ１１２、棚卸周期を品目毎に正しく算出する棚卸周期算出処理部１０６、棚卸した結果を登録する棚卸検数登録処理部１０７、棚卸した結果と在庫情報の差異を決済する棚卸差異決済処理部１０８で構成される。また、品目マスタＤＢ１０９から取得できる品目毎の棚卸区分と在庫情報ＤＢ１１１から取得できる品目毎の在庫数と棚卸実績ＤＢ１１２から取得できる品目毎の棚卸実績から棚卸周期算出処理部１０６で棚卸周期を品目毎に正しく算出した結果を棚卸要求ＤＢ１１３に書き込み棚卸指示を発令する。次に、本発明のデータ構成について説明する。
【００１０】
図２は、本発明の品目マスタデータ構成図である。在庫管理システムサーバ１０１の品目マスタＤＢ１０９のデータ構成としては品目マスタＤＢ１０９に示す表のように品目毎の棚卸区分と棚番が管理される。品目マスタＤＢ１０９の品目２０１は品目毎に判別できる名称が管理される。品目マスタＤＢ１０９の棚卸区分２０２は品目毎の棚卸周期を決定する区分が管理される。棚卸区分は、後述する棚卸周期データで定義される。品目マスタＤＢ１０９の棚番２０３は固定ロケーションで管理される品目のときの固定棚番が管理される。品目と棚番が１対１で決まる品目を固定ロケーションと定義して、品目と棚番が１対１で決まらない１対ｎとなる品目をフリーロケーションとする。固定ロケーションの品目は棚番を固定で決めることできるので品目マスタＤＢ１０９の棚番２０３に固定棚番として管理される。フリーロケーションの品目は棚番を固定で決めることが困難なため品目マスタＤＢ１０９の棚番２０３は空白となる。これにより、各品目がどの棚番にあり、棚卸区分がそれに分類されるかがわかる。
【００１１】
図３は、本発明の棚卸周期データ構成図である。在庫管理システムサーバ１０１の棚卸周期ＤＢ１１０のデータ構成としては棚卸周期ＤＢ１１０に示す表のように棚卸区分毎の棚卸実施回数が管理される。棚卸周期ＤＢ１１０の棚卸区分３０１は棚卸周期を決定する区分が管理される。棚卸周期ＤＢ１１０の棚卸実施回数３０２は棚卸区分毎の１年間に棚卸を実施する回数が管理される。棚卸周期ＤＢ１１０の詳細内容３０３は棚卸区分毎の棚卸を実施する周期の詳細内容として管理される。例えば棚卸区分がＡの場合、詳細内容３０３が毎月となっており、棚卸が毎月されることを表している。また、棚卸実施回数３０２は１２であり１年間に１２回の実施がされることを示している。棚卸区分Ａの場合は、ひと月に１回の棚卸が実行される。本実施例では、棚卸実施回数を年に何回行われるかの情報を記憶しているが、これに限定されるものではなく、棚卸がいつ行われるかの周期がわかる情報であればよい。棚卸周期ＤＢ１１０は品目毎の棚卸周期が管理された品目マスタＤＢ１０９の棚卸区分２０２から棚卸周期ＤＢ１１０の棚卸区分３０１をＫＥＹに読み込み品目毎の棚卸実施回数を取得するために使用する。また、品目毎の棚卸実施回数から品目毎の棚卸周期を算出するために使用する。詳細内容３０３には、棚卸のタイミングがいつになるかの情報が入る。例えば詳細内容３０３が毎月であると、毎月棚卸が実施されることを意味する。
【００１２】
図４は、本発明の在庫情報データ構成図である。在庫管理システムサーバ１０１の在庫情報ＤＢ１１１のデータ構成として在庫情報ＤＢ１１１に示す表のように品目毎の在庫情報として棚番と在庫数が管理される。これにより、どの棚番にどの品目が在庫数がどれだけあるか把握することができる。
【００１３】
在庫情報ＤＢ１１１の棚番４０１は品目毎の在庫情報として在庫が有る棚番が管理される。在庫情報ＤＢ１１１の品目４０２は品目毎の在庫情報として在庫が有る棚番毎の品目が管理される。在庫情報ＤＢ１１１の在庫数４０３は品目毎の在庫情報として在庫が有る棚番、品目毎の在庫数が管理される。例えば棚番がＴＡＮＡ−０１には品目aが在庫数１００個で入っていることを記憶している。在庫数４０３は在庫を入庫したときは増加して、在庫を出庫したときは減少する。在庫情報ＤＢ１１１のロックフラグ４０４は在庫の入出庫をロックされているときは１となり、在庫の入出庫ができない状態となる。在庫の入出庫がロックされていないときは０となり、在庫の入出庫ができる状態となる。ロックフラグ４０４は棚卸を開始するときに在庫の入出庫をできなくするために使用する。また、在庫情報ＤＢ１１１は品目毎の棚卸周期を算出するための在庫情報として使用する。
【００１４】
図５は、本発明の棚卸実績データ構成図である。在庫管理システムサーバ１０１の棚卸実績ＤＢ１１２のデータ構成として棚卸実績ＤＢ１１２に示す表のように品目毎の棚卸実績として前回棚卸実績が管理される。棚卸実績ＤＢ１１２の品目５０１は品目毎の棚卸実績として棚卸を実施した品目が管理される。棚卸実績ＤＢ１１２の前回棚卸日付５０２は品目毎の棚卸実績として棚卸を実施した品目毎の前回棚卸日付が管理される。棚卸実績ＤＢ１１２では棚卸の実績が管理され、例えば品目aの前回棚卸が2013/9/1にあったことを記憶している。棚卸実績ＤＢ１１２は品目マスタＤＢ１０９の棚卸区分２０２から棚卸周期ＤＢ１１０の棚卸区分３０１をＫＥＹに読み込み取得した品目毎の棚卸実施回数をたしこみ算出し、品目毎の棚卸周期を算出するために使用する。また、棚卸実績ＤＢ１１２の前回棚卸日付５０２は棚卸が完了したときに棚卸をした実績として棚卸をした日付が更新する。
【００１５】
図６は、本発明の棚卸要求データ構成図である。在庫管理システムサーバ１０１の棚卸要求ＤＢ１１３のデータ構成として棚卸要求ＤＢ１１３に示す表のように棚卸周期を品目毎に正しく算出した結果として棚卸要求が管理される。棚卸要求ＤＢ１１３の棚番６０１は棚卸周期を品目毎に正しく算出した結果として棚卸要求された棚番が管理される。棚卸要求ＤＢ１１３の品目６０２は棚卸周期を品目毎に正しく算出した結果として棚卸要求された棚番毎の品目が管理される。棚卸要求ＤＢ１１３の在庫数６０３は棚卸周期を品目毎に正しく算出した結果として棚卸要求された棚番、品目毎の在庫数が管理される。棚卸要求ＤＢ１１３の前回棚卸日付６０４は棚卸周期を品目毎に正しく算出した結果として棚卸要求された品目毎の前回棚卸日付が管理される。棚卸要求ＤＢ１１３の棚卸予定日６０５は棚卸周期を品目毎に正しく算出した結果として棚卸要求された品目毎の棚卸予定日が管理される。例えば、棚番ＴＡＮＡ−０１の品目aは、在庫数１００で前回棚卸された日が2013/9/1、次回棚卸予定日が2013/10/01といった情報が管理される。棚卸要求ＤＢ１１３の棚卸数６０６は品目毎の棚卸要求から棚卸結果を受付けた実在庫数が管理される。
【００１６】
本発明のフローチャートについて説明する。
【００１７】
図７は、本発明の品目マスタ登録処理のフローチャートである。品目マスタ登録処理は品目毎循環棚卸の品目毎の棚卸周期を決定するマスタ管理のフローチャートとなる。品目マスタ登録処理では、ユーザやシステムから、品目やそれに対応する棚番、棚卸区分の情報を受け付け、品目マスタＤＢに登録する。
【００１８】
例えば、品目マスタ登録処理のステップＳ１にて在庫管理システムサーバ１０１の品目マスタＤＢ１０９に品目ａが記憶される。ステップＳ２にて在庫管理システムサーバ１０１の品目マスタＤＢ１０９に記憶された品目ａに棚卸区分Ａが記憶される。ステップＳ３にて在庫管理システムサーバ１０１の品目マスタＤＢ１０９に記憶されて品目ａは固定ロケーション管理される品目のため品目ａの固定ロケーションＴＡＮＡ−０１を棚番ＴＡＮＡ−０１として記憶される。品目ａと棚番ＴＡＮＡ−０１の関係は１対１で決まるため固定ロケーションと定義されるため固定ロケーションの棚番はＴＡＮＡ−０１となります。また、フリーロケーションの品目は棚番を固定で決めることが困難なため棚番は空白となる。
【００１９】
図８は、本発明の在庫入出庫処理のフローチャートである。在庫入出庫処理は在庫の入庫、出庫による在庫数の変動による在庫管理のフローチャートとなる。在庫入出庫処理のステップＳ４にて在庫管理システムサーバ１０１の在庫情報ＤＢ１１１に記憶された品目毎の在庫情報を増加させて記憶される。
【００２０】
例えば、棚番ＴＡＮＡ−０１の品目ａの在庫数１００のときに棚番ＴＡＮＡ−０１に品目ａが在庫数１０の在庫入庫が発生したときに、棚番ＴＡＮＡ−０１の品目ａの在庫数は１１０で記憶される。ステップＳ５にて在庫管理システムサーバ１０１の在庫情報ＤＢ１１１に記憶された品目毎の在庫情報を減少して記憶される。棚番ＴＡＮＡ−０１の品目ａの在庫数１００のときに棚番ＴＡＮＡ−０１に品目ａが在庫数１０の在庫出庫が発生したときに、棚番ＴＡＮＡ−０１の品目ａの在庫数は９０で記憶される。
【００２１】
図９は、本発明の品目毎循環棚卸処理のフローチャートである。品目毎循環棚卸処理は品目毎の棚卸周期で循環に棚卸を実施する棚卸管理のフローチャートとなる。品目毎の決めた棚卸区分から取得できる棚卸実績回数と品目毎の前回棚卸日付から算出される棚卸予定日により、品目毎の在庫を品目毎に棚卸管理することを可能としている。
【００２２】
ステップＳ６にて棚卸周期算出処理部は、在庫管理システムサーバ１０１の品目マスタＤＢ１０９に記憶された品目の棚卸区分と棚番を特定し、特定された棚卸区分を棚卸周期ＤＢに照合して棚卸周期を特定する。具体的には、例えば、品目ａの棚卸区分Ａと棚番ＴＡＮＡ−０１を取得して棚卸区分Ａから在庫管理システムサーバ１０１の棚卸周期ＤＢ１０９を棚卸区分ＡをＫＥＹに読み込み棚卸周期ＤＢ１０９に記憶された棚卸実施回数１２を取得する。棚卸実施回数１２は詳細内容３０３が毎月となっており、棚卸が毎月されることを表している。棚卸実施回数とは年に棚卸実施が何回おこなわれるかの情報であり、棚卸実施回数１２とは年に棚卸が１２回行われることを意味している。本実施例では棚卸周期を、品目から棚卸周期を特定して、棚卸周期から特定するよう制御しているが、これに限定されるものではなく、品目と棚卸周期を棚卸周期ＤＢで対応づけて、品目から棚卸周期を特定するように制御してもよい。
【００２３】
特定された品目を在庫情報ＤＢ１１１に照合して、当該品目の棚番（複数ある場合も含む）と、在庫数をそれぞれ特定する。これにより各品目がどこの棚番に何個の在庫数を持っているかを特定することができる。具体的には、例えば、在庫管理システムサーバ１０１の在庫情報ＤＢ１１１を品目ａをＫＥＹに読み込み在庫情報ＤＢ１１１に記憶された品目ａの棚番ＴＡＮＡ−０１の在庫数１００と棚番ＴＡＮＡ−０２の在庫数５０を取得する。在庫情報として複数棚番に在庫が存在するケースを考慮して在庫数の取得は品目ａをＫＥＹとして検索する。
【００２４】
特定された品目を棚卸実績ＤＢ１１２に照合して前回棚卸日付を特定する。具体的には、例えば、在庫管理システムサーバ１０１の棚卸実績ＤＢ１１２を品目ａをＫＥＹに読み込み棚卸実績ＤＢ１１２に記憶された品目ａの前回棚卸日付２０１３／９／１を取得する。
【００２５】
取得した品目の前回棚卸日付から次回の棚卸予定日を特定する。具体的には、例えば、取得した品目ａの前回棚卸日付２０１３／９／１から品目ａの棚卸周期を算出する。棚卸実施回数１２は詳細内容３０３が毎月となっており、棚卸が毎月されることを表している。本実施例では、棚卸実施回数を年に何回行われるかの情報を記憶しているため、１年間は１２カ月なので１２割る棚卸実施回数１２をすることで１ヶ月毎に棚卸を実施周期するということが取得できる。取得した１ヶ月毎の棚卸の実施周期を前回棚卸日付２０１３／９／１にたしこんだ結果を棚卸予定日２０１３／１０／１を算出する。
【００２６】
ここでは、棚卸実施回数から棚卸周期を算出しているが、これに限定されるわけではなく、棚卸周期は棚卸周期ＤＢ１１０の詳細内容３０３に周期の情報が記憶されているので、ここから周期の情報を取得して、前記棚卸日付に足しこんで棚卸予定日を特定するように制御してもよい。
【００２７】
特定された品目の棚卸予定日、棚番、各棚番の在庫数の情報を、棚卸要求ＤＢにそれぞれ記憶する。具体的には、例えば、在庫管理システムサーバ１０１の棚卸要求ＤＢ１１３に棚番ＴＡＮＡ−０１の品目ａの在庫数１００の前回棚卸日付２０１３／９／１の棚卸予定日２０１３／１０／１と棚番ＴＡＮＡ−０２の品目ａの在庫数５０の前回棚卸日付２０１３／９／１の棚卸予定日２０１３／１０／１を記憶する。棚卸周期ＤＢから棚番ＴＡＮＡ−０１、ＴＡＮＡ−０２の周期が月に１回であることを特定して、前回棚卸日付２０１３／９／１からひと月後の２０１３／１０／１を棚卸予定日として設定する。
【００２８】
ステップＳ７にて品目毎の棚卸周期を算出した結果として品目毎の棚卸要求データを作成する。具体的には、在庫管理システムサーバ１０１の棚卸要求ＤＢ１１３から品目ａの棚卸レコードを作成する。棚卸レコードは品目毎の棚卸要求データとなる。この棚卸要求データをもとに、各品目の棚卸を実行することになる。
【００２９】
ステップＳ８では、棚卸を実行するにあたり、棚卸対象の品目の入手庫を物理的にロックする必要があり、そのロック状況を在庫情報ＤＢに登録する。具体的には、例えば、品目ａの棚番ＴＡＮＡ−０１と品目ａのＴＡＮＡ−０２が入出庫が不可となりロックされる。具体的には、在庫情報ＤＢの棚番ＴＡＮＡ−０１とＴＡＮＡ−０１の品目aのロックフラグがそれぞれ０から１となり、入出庫が不可である旨の情報が登録される。
【００３０】
ステップＳ９にて品目毎に算出された棚卸要求データから実際に現物を数えるための棚卸リストをして棚卸要求データをリスト化した棚卸リストを要求により印刷する。棚卸リストとは棚卸の担当者が実際に棚卸を実行する場合に、参照するリストである。本実施例では紙に印刷しているが、これに限定されるわけではなく、情報表示端末に表示するような制御としてもよい。棚卸リストには、棚卸には、特定された必要な情報、例えば品目、棚番、各棚番の在庫数、前回棚卸日付、棚卸予定日等の情報が印刷される。具体的には、例えば、品目ａの棚卸リストであれば、棚番ＴＡＮＡ−０１の品目ａの在庫数１００の前回棚卸日付２０１３／９／１の棚卸予定日２０１３／１０／１と棚番ＴＡＮＡ−０２の品目ａの在庫数５０の前回棚卸日付２０１３／９／１の棚卸予定日２０１３／１０／１等の情報が印刷される。
【００３１】
ステップＳ１０にて、担当者が棚卸をした結果を受け付ける。本実施例では出力した棚卸リストをもとに確認した実在庫情報を、担当者がシステムに入力することとしているが、これに限定されるものではなく、棚卸リストをタブレットのような情報端末に表示させて、その情報端末から直接受け付けることとしてもよい。具体的には、例えば、担当者が、品目ａの出力された棚卸リストを参照して品目ａの実在庫を数える。品目ａの実在庫を数えた結果を品目ａの棚卸リストに記載する。棚卸リストに記載した品目毎の各棚番の実在庫数を本システムへ入力する。実際の棚番ＴＡＮＡ−０１とＴＡＮＡ−０２に品目ａの実在庫を人手で数える。品目ａの実在庫を数えた結果が記載された品目ａの棚卸リストを参照して品目ａの棚卸結果が本システムに登録される。棚卸要求ＤＢ１１３の棚卸数６０６に棚卸結果として登録される。具体的には、在庫情報ＤＢの棚番ＴＡＮＡ−０１とＴＡＮＡ−０１の品目aのロックフラグがそれぞれ１から０となり、入出庫が可能である旨の情報が登録される。
【００３２】
ステップＳ１１にて棚卸差異決済処理部が、受付けた実在庫情報と在庫数とを比較して差異がないかどうかを確認して決済処理をする。具体的には、在庫管理システムサーバ１０１の在庫情報ＤＢ１０７の棚番ＴＡＮＡ−０１の品目ａの在庫数１００と棚番ＴＡＮＡ−０２の品目ａの在庫数５０にたいして品目ａの棚卸結果の差異について参照して決済を実施する。システム上の在庫数と実在庫に差異がないか棚卸要求ＤＢ１０１の在庫数６０３と棚卸数６０６の差異を確認する。差異がない場合は決済完了となり、差異が発生したときは実在庫にあわせるように在庫数の訂正を行い決済完了となる。
【００３３】
ステップＳ１２にて品目ａの棚番ＴＡＮＡ−０１と品目ａの棚番ＴＡＮＡ−０２のロックが解除され入出庫が可能となる。在庫情報ＤＢ１１１のロックフラグを１から０に変更する。具体的には品目aの場合、ＴＡＮＡ−０１とＴＡＮＡ−０２のロックフラグを１から０に変更する。
【００３４】
ステップＳ１３にて棚卸実績ＤＢ１１２に前回棚卸日付の更新処理をする。具体的には例えば、在庫管理システムサーバ１０１の棚卸実績ＤＢ１１２を、品目ａを棚卸した場合棚卸を実行した日付を前回棚卸日付として更新する。２０１３／１０／１に棚卸された場合、前回棚卸日付は２０１３／１０／１で更新される。
【００３５】
本発明の特徴は、品目毎に棚卸実績を管理することにより棚番毎に棚卸実績を管理していたときにはできなかった品目毎に棚卸周期の管理を可能としたところにある。また、棚卸要求を品目毎に作成することを実現したということが特徴となる。棚卸実績の人手管理を廃止することで、管理工数を低減することが可能となる。棚卸については品目毎の価値により棚卸を実施する周期を決めることにより価値の大きい品目順については在庫差異を早急に判明できるようになり在庫金額差異の削減を図ることができるが、棚卸周期の不一致を起こすことにより在庫金額差異が増加してしまう懸念があり人手管理による棚卸実績により棚卸を実施する必要があった。
【符号の説明】
【００３６】
１０１：在庫管理システムサーバ、１０２：棚卸区分登録処理部、１０３：棚番登録処理部、１０４：在庫入庫処理部、１０５：在庫出庫処理部、１０６：棚卸周期算出処理部、１０７：棚卸検数登録処理部、１０８：棚卸差異決済処理部、１０９：品目マスタＤＢ、１１０：棚卸周期ＤＢ、１１１：在庫情報ＤＢ、１１２：棚卸実績ＤＢ、１１３：棚卸要求ＤＢ、２０１：品目、２０２：棚卸区分、２０３：棚番、３０１：棚卸区分、３０２：棚卸実地回数、４０１：棚番、４０２：品目、４０３：在庫数、５０１：品目、５０２：前回棚卸日付、６０１：棚番、６０２：品目、６０３：在庫数、６０４：前回棚卸日付、６０５：棚卸予定日、６０６：棚卸数
【図１】
2016051238.tif 000003
【図２】
2016051238.tif 000004
【図３】
2016051238.tif 000005
【図４】
2016051238.tif 000006
【図５】
2016051238.tif 000007
【図６】
2016051238.tif 000008
【図７】
2016051238.tif 000009
【図８】
2016051238.tif 000010
【図９】
2016051238.tif 000011